(57)【要約】【課題】内外面硬質塩化ビニルライニング鋼管を確実且つ容易に接続できると共に腐食の発生も防ぐ。【解決手段】継手本体を硬質塩化ビニルで完全に被覆し、接合部も硬質塩化ビニル製にすることにより、内外面硬質塩化ビニルライニング鋼管を従来のねじ込み接合を不要とし接着接合できるようにした。また管内面接合部の接合面積を、所定の広さを保つことにより、接着能力を向上させることができた。【選択図】  図１
2004332909.tif 000002
【特許請求の範囲】
【請求項１】
内外面硬質塩化ビニルライニング鋼管に接続する管端防食継手において、炭素鋼製の継手本体の外面に硬質塩化ビニル樹脂を被覆しており、継手内面には管と継手の接続部が管の形状に合わせて円筒状の凹部形に形成されている硬質塩化ビニル樹脂製の接合材を取り付けてある継手。
【請求項２】
内外面硬質塩化ビニルライニング鋼管に接続する管端防食継手において、継手本体端部より管内面接合部の端部が突出していて接続面積を広くしてあるのが特徴の、硬質塩化ビニル樹脂製の接合材。
【発明の詳細な説明】
【００１】
【発明の属する技術分野】
本発明は、給水配管に用いられる内外面硬質塩化ビニルライニング鋼管の継手に関する。
【００２】
【従来の技術】
従来の内外面硬質塩化ビニルライニング鋼管継手においては、内外面硬質塩化ビニル鋼管を旋盤により管の接続部にねじを形成した後、管を継手にパイプレンチ等で締めつけて接続する方法を用いている。
【００３】
【発明が解決しようとする課題】
従来の内外面塩化ビニルライニング鋼管継手にあっては、内外面硬質塩化ビニルライニング鋼管をねじの形に削り取ることで接続部の露出する金属の面積が広くなり、継手との接続後も管切断面の鉄部とねじ込みされていない部分で腐食しやすく、赤水の管内流入や漏水の原因になる問題点があった。さらに管をねじに形成する為の手間と、管と継手を接続するための労力が容易ではなかった。
【００４】
本発明は、管をねじに形成することを不要として、確実且つ容易に接続できるようにすると共に、また接続部が腐食することを防ぎ、さらに赤水の発生や漏水及び管の離脱を防止する継手を提供するのを目的としている。
【００５】
【課題を解決するための手段】
上記目的を達成するために、本発明の継手においては、炭素鋼製の継手本体の外部に硬質塩化ビニルを被覆してあり、さらに継手本体の内面には、内外面硬質塩化ビニルライニング鋼管の接続部に水道用塩化ビニル接着剤を塗布し挿入して接合する硬質塩化ビニル製の接合材を取り付けてある。
【００６】
上記の継手本体および硬質塩化ビニル接合材は、内外面硬質塩化ビニルライニング鋼管の管径に適合した円筒状で形成されており、硬質塩化ビニル接合材における管内面接合部は管の内面の直径と等しく、また管外面接合部は管の外面の直径と等しい。さらに継手の差込口付近は、管と継手が挿入しやすいように僅かに角度をつけてある。
【００７】
継手本体内面の硬質塩化ビニル接合材には、内外面硬質塩化ビニルライニング鋼管を確実且つ効率よく接合するため、管の内面及び外面の硬質塩化ビニル層に接着接合するように、内外面硬質塩化ビニルライニング鋼管の塩化ビニル被覆部と同じ材質のものを使用する。
【００８】
また、この硬質塩化ビニル接合材は、管の内面に接合する部分と、管の外面に接合する部分とで凹部形に別れており、管の内面に接合する部分は、継手本体の端部より突出しており接着剤が塗りやすく、また接合面積が広い為、給水使用時の赤水の発生や管内面の水圧による漏水および管の離脱を防ぎ、さらに接続した管の切断端部の鉄部から腐食を防ぐ効果もあり、さらにストッパーにあたる部分も塩化ビニルであることにより絶縁能力に優れている。
【００９】
管内面接合部の接合面積においては、内外面硬質塩化ビニルライニング鋼管の切断部における鉄部の腐食を防ぐ為、管内面接合部と内外面硬質塩化ビニルライニング鋼管の内面接続部にのみ水道用塩化ビニル接着剤を塗布し、管と継手を接続した状態で水圧１，７５ＭＰａ（メガパスカル）を１分間加えたとき、水漏れ、管の離脱、変形、破損、その他の異常を生じない接着能力を保持させる接合面積があることを条件とする。
【０１０】
内外面硬質塩化ビニルライニング鋼管の外面に接合する部分は、土中への埋設配管による土壌環境や迷走電流、水の流入などによる腐食から耐え、また屋外露出配管による大気中での結露などの腐食から耐えられるような効果があり、さらに管端部の鉄部を防食する効果もある。
【０１１】
炭素鋼製の継手本体の外面および接合後の内外面硬質塩化ビニルライニング鋼管の端部における鉄部は、すべて硬質塩化ビニルにより完全に密封される為、赤水の発生や腐食するのを防ぐことができる。
【０１２】
【発明の実施の形態】
発明の実施の形態を、図１を参照して説明する。
図１において、硬質塩化ビニル接合材４に炭素鋼製の継手本体１を固定するため、ストッパー６と接合材連結部３の間の窪みに本体連結部２の凸部を入り込ませるようにして固定する。
【０１３】
上記のように硬質塩化ビニル接合材４を固定した継手本体１に硬質塩化ビニル層５を接着固定して被覆する。
【０１４】
【実施例】
実施例を、図２を参照して説明する。
内外面硬質塩化ビニルライニング鋼管を配管したい長さに切断して、接合する部分を前以ってよく拭いておく。管の内面１１および外面１２の接続部に水道用塩化ビニル接着剤を適量塗布する。また継手の管内面接合部１８と管外面接合部１７も同様に接着剤を塗布する。
【０１５】
接着剤の塗布後乾かないうちに内外面硬質塩化ビニルライニング管を硬質塩化ビニル接合材１４の凹部に挿入する。この際に硬質塩化ビニル接合材におけるストッパー１６に当たるまで確実に挿入すること。
【０１６】
上記のように施工した管および継手は図２に示されている様に、硬質塩化ビニル接合材１４における管内面接合部１８と内外面硬質塩化ビニルライニング鋼管の内面１１の接続部が固定されると同時に、管外面接合部１７と管の外面１２の接続部が固定される。
【０１７】
さらに管端部がストッパー１６に当たるまで挿入することにより、内外面硬質塩化ビニルライニング鋼管の鉄部１３における露出していた部分は、完全に密封される。
【０１８】
【発明の効果】
本発明は、以上説明したように構成されているので、以下に記載されるような効果を奏する。
【０１９】
内外面硬質塩化ビニルライニング鋼管を配管する長さに切断するだけで、本発明における継手に接着接合できるので、管のねじ切り作業及びねじ込み接続を行う作業が不要となり、施工性が大幅に改良される。
【０２０】
硬質塩化ビニル接合材における管内面接合部の接合面積を所定の広さを保つことにより、給水使用時における水圧による漏水、管の離脱および赤水の発生などの異常から守る接着能力を保持できる。
【０２１】
また管外面接合部も接着することにより、管の端部すなわち露出する鉄部を硬質塩化ビニル接合材において完全に密封することになるため、内外面硬質塩化ビニルライニング鋼管が腐食することを確実に防ぐことができる。
【０２２】
本発明における継手の本体鉄部においても、外面および内面に硬質塩化ビニルを被覆してあることにより腐食することを確実に防ぐことができる。
【図面の簡単な説明】
【図１】内外面硬質塩化ビニルライニング鋼管用挿入接続継手の断面図である。
【図２】内外面硬質塩化ビニルライニング鋼管と内外面硬質塩化ビニルライニング鋼管用挿入接続継手の接続後断面図である。
【符号の説明】
１  継手本体
２  本体連結部
３  接合材連結部
４、１４  硬質塩化ビニル接合材
５  硬質塩化ビニル層
６、１６  ストッパー
７、１７  管外面接合部
８、１８  管内面接合部
９  管内面接合部端部
１０  継手本体端部
１１  内外面硬質塩化ビニルライニング鋼管内面
１２  内外面硬質塩化ビニルライニング鋼管外面
１３  内外面硬質塩化ビニルライニング鋼管鉄部
【図１】
2004332909.tif 000003
【図２】
2004332909.tif 000004